(57)【要約】【課題】慶弔の式事に佩用するネクタイを、家紋・定紋の付いた紋付きの状態と、その家紋・定紋が外された状態とに切り替えて使用できるように構成する。【解決手段】大剣１と、中継ぎ２と、小剣３とが、一本の細い幅の帯状に連続しているネクタイＡにおいて、大剣１には、それの裏面側に設ける小剣３を通す通しバンド状の小剣通し４を目安に、それの上方部位と下方部位とに、該大剣１を表裏に貫通する横方向の切れ目ａ・ｂを、上下に一対に対向し、かつ、それぞれ小剣３を挿通可能とする巾に形設し、小剣３には、それの中間部の表側で、大剣１の切れ目ａと切れ目ｂとの間と対応する部位に、家紋ｃを付設しておく。【選択図】図５
0003122963.tif 000002
【実用新案登録請求の範囲】
【請求項１】
シャツの前面側に垂れ下がる巾広の大剣１と、頸に巻き付け結び目を形成する中継ぎ２と、大剣１の裏面側に重合させて垂れ下がる細い巾の小剣３とが、一本の細い幅の帯状に連続しているネクタイＡにおいて、大剣１には、それの裏面側に設ける小剣３を通す通しバンド状の小剣通し４を目安に、それの上方部位と下方部位とに、該大剣１を表裏に貫通する横方向の切れ目ａ・ｂを、上下に一対に対向し、かつ、それぞれ小剣３を挿通可能とする巾に形設し、小剣３には、それの中間部の表側で、大剣１の切れ目ａと切れ目ｂとの間と対応する部位に、家紋ｃを付設したことを特徴とするネクタイ。
【請求項２】
小剣３の表側に付設する家紋ｃを、ネクタイＡと別体の布地・織物７に付設し、その別体の布地・織物７を小剣３の長手方向の中間部の表側に縫着したことを特徴とする請求項１記載のネクタイ。
【請求項３】
上下に一対に対向する切れ目ａ・ｂを、大剣１の上下方向における複数個所に設け、小剣３の表面側には、それぞれの切れ目ａ・ｂの間隔と対応する部位に、それぞれ家紋ｃを付設しておくことを特徴とする請求項１記載のネクタイ。
【考案の詳細な説明】
【技術分野】
【０００１】
本考案は、布地・編物・織物により狭い巾の帯状に成形してシャツのカラーの回りに巻いて前で結び垂れ下げて衿飾りとするネクタイにおいて、特に、シャツの前面に垂れ下げて飾りとする大剣部に家紋が表示される形態としたネクタイに関する。
【背景技術】
【０００２】
シャツの衿の回りに巻いて結び前に垂れ下げて衿飾りとするネクタイＡは、通常狭い巾の帯状の布地・織物・編物により図１に示しているように、巾広の大剣１と、細巾の中継ぎ２と稍細巾の小剣３とが一本の細帯状に連続する形状のものとして作られる。
【０００３】
巾広の大剣１は、シャツの前面に垂れ下げて飾りとする部分で、表面側に、飾りとするための、模様・絵柄・色柄が施される。
【０００４】
中継ぎ２は、シャツの衿の回りに巻き付け、衿の前面に結び目をつくる部分で、細い巾の帯紐状に形成される。
【０００５】
小剣１は、結び目を形成した中継ぎ２の先に連続するネクタイＡの端末の部分であるが、着装したときに、大剣１の裏面側にそれと略揃う長さで垂れ下がるよう稍細巾の帯紐状に形成される。そして、この小剣３は、巾広の大剣１の裏面側の上下の中間部に、別の布地で細巾の帯紐状に形成し、両端を縫着してバンド通しのように取り付けておく小剣通し４に、先端側から挿し通して、中間部がこの小剣通し４に保持された状態としておくようにしている。
【０００６】
このような形態のものとして作られるネクタイＡは、その殆どが、オーダーメイドではなく、レディーメイドのものでそれの大剣１の前面に施される模様・絵柄・色彩等が、メーカー側において付設されているものであって、慶祝の式事の際に着装する白絹の白地のもの、また葬弔の式事の際に着装するくろぎぬのものは、使用する人が選択して購入し使用するようなっている。
【０００７】
ところで、慶弔の式事に、それに適応する白地、または黒地のネクタイを着けて臨むとき、さらに、家紋・定紋の佩用を望む場合がある。家紋・定紋の佩用は、和服の場合には紋付きの衣服を着れば良いが、洋服の場合には、紋付きの服がないことで、これを別に誂えることになる。しかし、洋服には紋付きを正装とする習慣がないことで、定紋を付けたハッピのようになって、服装の格調を崩し、式事にそぐわないものとする問題がでてくる。
【０００８】
この家紋・定紋を、洋装のときに着装するネクタイの、飾りの主体部となる大剣の部分の一部に着けるようにすれば、家紋・定紋が、飾りの模様・絵柄とになることで、洋装の格式・格調を崩すことなく、家紋・定紋を佩用した機能を果たすことになる。しかし、この紋付きのネクタイは、家紋・定紋の佩用を望まない場合には使えない特殊な柄物のネクタイとなり、通常の慶弔の式事に佩用する白地・黒地のネクタイと別に用意しておかなければならない問題がある。
【考案の開示】
【考案が解決しようとする課題】
【０００９】
本考案において解決しようとする課題は、慶弔の式事に佩用するネクタイを、家紋・定紋の付いた紋付きの状態と、その家紋・定紋が外された状態とに切り替えて使用できるように構成することにある。
【課題を解決するための手段】
【００１０】
本考案においては、上述の課題を解決するための手段として、
シャツの前面側に垂れ下がる巾広の大剣１と、頸に巻き付け結び目を形成する中継ぎ２と、大剣１の裏面側に重合させて垂れ下がる細い巾の小剣３とが、一本の細い幅の帯状に連続しているネクタイＡにおいて、大剣１には、それの裏面側に設ける小剣３を通す通しバンド状の小剣通し４を目安に、それの上方部位と下方部位とに、該大剣１を表裏に貫通する横方向の切れ目ａ・ｂを、上下に一対に対向し、かつ、それぞれ小剣３を挿通可能とする巾に形設し、小剣３には、それの中間部の表側で、大剣１の切れ目ａと切れ目ｂとの間と対応する部位に、家紋ｃを付設したことを特徴とするネクタイ、を提起し、かつ、これに併せて、
小剣３の表側に付設する家紋ｃを、ネクタイＡと別体の布地・織物７に付設し、その別体の布地・織物７を小剣３の長手方向の中間部の表側に縫着したことを特徴とするネクタイ、を提起し、さらに、
上下に一対に対向する切れ目ａ・ｂを、大剣１の上下方向における複数個所に設け、小剣３の表面側には、それぞれの切れ目ａ・ｂの間隔と対応する部位に、それぞれ家紋ｃを付設しておくことを特徴とするネクタイ、
を提起するものである。
【考案の効果】
【００１１】
本考案による家紋付きのネクタイは、シャツの衿の回りに巻き付けて結び目を結び、そこから垂れ下がる小剣の小剣先を、大剣の裏面側に設けてある小剣通し４の上方部位に開設された上位の切れ目ａに、その大剣１の裏側から通して、その大剣１の表側に引き出し、次いで、前記小剣通し４の下方の部位に設けた下位の切れ目ｂに、大剣１の表側から裏側に向けて挿通し、それを引き出して垂下させれば、上位の切れ目ａと下位の切れ目ｂとの間において大剣１の表面側に露出してきた小剣３の中間部が、それに付設した家紋・定紋ｃを大剣１の表面側に表示するようになって、紋付きのネクタイとなる。
【００１２】
また、結び目から垂れ下がる小剣３を、切れ目ａ・ｂに挿通させずに、小剣通し４に通して垂れ下げるようにすれば、小剣３の表側に付設した家紋・定紋ｃは、大剣１の裏側にかくれ、大剣１の表面側は家紋のない通常のネクタイとなる。従って、家紋付きと、家紋の付かない態様との二様に切り替えて使用できるようになる。
【考案を実施するための最良の形態】
【００１３】
次に、本考案手段の実施の態様を、実施例につき図面に従い詳述する。
【実施例１】
【００１４】
図３は本考案を実施せるネクタイの正面図、図４は背面図、図５は同上ネクタイの小剣を大剣に形設した切れ目に挿通して付設した家紋を大剣の表面側に露出させた状態の斜視図、図６は同上状態の側面図、図７は家紋を付設した別布地の正面図である。
【００１５】
図において、１はネクタイＡの大剣の部分、２はこの大剣１に連続する頸に巻き付ける中継ぎの部分、３は中継ぎ２の先に連続する小剣の部分、４は小剣通し、５は裏地、６は額縁、７は別体の布地を示す。
【００１６】
ネクタイＡは、この例においては、狭い巾の帯状に裁断した布地の両側縁を、その布地の裏面側に芯材として重合した裏地５を包み込むように裏側にそれぞれ折り返して、それら両側縁の端縁を縫い合わせることで、大剣１の部分とシャツの衿の回りに巻き付け前に結び目を結ぶ中継ぎ２の部分と、結び目から大剣１の裏面側に沿い垂れ下げる小剣３の部分とが、一本の細帯状に連続する通常のネクタイの形態に形成してある。ネクタイＡは、布地を用いて芯材の裏地を包み込んだ形態のものだけでなく、編物・織物により、ネクタイの形態に編み上げたものであってもよい。
【００１７】
このネクタイＡの大剣１の部分には、それの裏面側に付設される小剣通し４が占める位置を目安として、その小剣通し４より少し上方に位置する部位と、少し下方に位置する部位とに、小剣３の挿通を可能とする切れ目ａ・ｂを、それぞれ、略小剣３の巾に対応する長さで巾方向に沿うように開設する。これら切れ目ａ・ｂは、なるべくは、上位の切れ目ａにあっては、下弦の円弧状に開設し、下位の切れ目ｂにあっては、上弦の円弧状に開設する。
【００１８】
また、上位の切れ目ａと下位の切れ目ｂとの間隔は、小剣３の表面側に付設しておく家紋ｃの上下の巾に対応する間隔に設定する。この間隔は大剣１の裏側から、上位の切れ目ａに小剣３の剣先を通し下位の切れ目ｂから大剣１の裏側に戻して、小剣３を大剣１の裏側に垂れ下げた状態とすることで、小剣３の表側に付設した家紋ｃを切れ目ａと切れ目ｂとの間において大剣１の前面側に露出させたときに、その家紋ｃがそっくり表れてくる間隔にする。
【００１９】
この切れ目ａ・ｂを開設するときに、その位置を設定する基準とした小剣通し４は、その小剣通し４が、大剣１の上下の略中間の位置に設けられていることから、大剣１の前面側の略上下の中間位置に家紋ｃを表出させるときの目安としているもので、小剣通し４を装備していないネクタイ、または、家紋ｃを、大剣１の上方に寄せた衿に近い部位に付設しようとする場合にあっては、この小剣通し４と無関係の位置に切れ目ａ・ｂを設けるようにしてよい。
【００２０】
また、この上下に一対の切れ目ａ・ｂは、一個所にだけでなく、例えば、大剣１の上下の中間部と、衿に近い部位との二個所に設けておいて、衿に近い部分と中間部位とに、それぞれ家紋ｃが表出されるようにしてもよい。
【００２１】
小剣３の上下の中間部の表面側に付設する家紋ｃは、家紋を表すようになっていればよく、家紋をあしらった絵柄としてもよい。また、家紋ｃは、図７に示しているように、ネクタイＡとは別体の布地・織物７に織り込むか、捺染しておいて、この別布地・織物７を小剣３の表面側の所定の個所に縫着することで、付設するようにしてよく、ネクタイＡの小剣３に直接・刺繍等で付設するようにしてもよい。
【図面の簡単な説明】
【００２２】
【図１】ネクタイの正面図である。
【図２】同上ネクタイの背面図である。
【図３】本考案を実施せるネクタイの正面図である。
【図４】同上ネクタイの背面図である。
【図５】同上ネクタイの小剣を大剣に形設した切れ目に挿通して小剣に付設した家紋を大剣の前面に表出させた状態の斜視図である。
【図６】同上ネクタイの同上状態の側面図である。
【図７】同上ネクタイに付設する家紋を付けた別生地の正面図である。
【符号の説明】
【００２３】
Ａ…ネクタイ、ａ・ｂ…切れ目、ｃ…家紋、１…大剣、２…中継ぎ、３…小剣、４…小剣通し、５…裏地、６…額縁、７…別体の布地・織物。
【図１】
0003122963.tif 000003
【図２】
0003122963.tif 000004
【図３】
0003122963.tif 000005
【図４】
0003122963.tif 000006
【図５】
0003122963.tif 000007
【図６】
0003122963.tif 000008
【図７】
0003122963.tif 000009